Podtech/llm-jp-corpus-v4-ja_patent huggingface dataset:
(57)【要約】【課題】  製品素材にケガキ線を入れる時、簡単で間違い無い様に、２本の巻尺を１体化した巻尺で、片方の測定部の先端に、固定および解徐できる金具を付けた巻き尺を提供する。【解決手段】巻尺（３）の先端に止め金具を付ける事により各スパンを測定し、巻尺（２）は全長の長さを確認する事により、ケガキと確認作業が同時に行えるのが特徴である。【選択図】図１
2009282001.tif 000002
【特許請求の範囲】
【請求項１】
巻尺（３）に留め金具（１）とベース板（７）を付け、巻尺（２）を任意の位置にて、固定及び解徐する巻尺。
【発明の詳細な説明】
【技術分野】
【０００１】  この発明は２本の巻尺を１体化し、巻尺（３）の先端部分に留め金具を設け、巻尺（２）に巻尺（３）を固定及び解除し測定するものである。
【背景技術】
【０００２】  従来、鉄骨製作図は各スパンと全長が書いてあり、１本の巻尺で、計算機及び暗算にて、加算数字により、ケガキ作業を行っていた。
【発明の開示】
【発明が解決しようとする課題】
【０００３】  これは次のような問題点があった。
（ア）計算違いにより、間違ってケガキ線を付け、そこに鉄板を溶接したケースも時々ある。
（イ）安全作業において、下を向いて集中している事は非常に、危険である。
（ウ）製作の面からも、短時間で正確な作業が望まれる。
本発明は、以上のような欠点をなくするために考案したものである。
【課題を解決するための手段】
【０００４】  巻尺（２）と巻尺（３）を使用し、巻尺（３）は各スパン寸法を測定し、巻尺（２）はスパンとスパンの長さの和を測定でき、最終スパン寸法と全長が合うことが確認できる。
【発明の効果】
【０００５】（ア）各スパンのケガキが速く確実になる。
（イ）最終スパンと全長を確認でき間違いを未然に防ぐ事が出来る。
（ウ）計算機、及び暗算は確認程度でよい。
（エ）安全作業において、下を向いて集中する時間が短縮される。
【発明を実施するための最良の形態】
【０００６】  以下、本発明の実施例について説明する。
（Ａ）製作についてのポイント
（ア）巻尺は日本工業規格ＪＩＳの入った長さ読み取りの出来るものとする。
（イ）留め金具（１）は巻尺（２）をはさみこんで測定する時以外は開放とする。
（ウ）巻尺（３）の先端部分に留め金具（１）を取り付ける。巻尺（３）の○点が読み取り易く、ケガキ作業に支障のない位置に固定する。
（エ）巻尺（３）の裏側にベース板（７）を取り付け留め金具（１）とベース板で巻尺（２）を、はさみこみ固定する。固定した時、巻尺（３）○点の位置と巻尺（２）の測定点が動かない事。
（オ）巻取ケース巻尺（２）の巻取方法は、自動巻及び、手動巻のどちらでもよい。
（カ）巻取ケース、巻尺（３）の巻取方法は、巻取ストッパーを付け、中立、巻取とし中立の時は留め金具（開放している時）を手で左右（巻尺の○点方向及び巻取方向）に動き、手を離した時は動かないこと。
（Ｂ）使用方法
巻尺（２）（３）を同時にのばし、１回目の測定は巻尺（２）によって測り、測った点に留め金具（１）の○点を合わせ固定し、巻尺（３）によって２回目の寸法をはかる。２回目の測った○点に留め金具を移動し固定し、３回目を測定する。スパンの多いときはこれを繰り返す。これによって巻尺（３）で最後に測った点と巻尺（２）の全長の数字が図面寸法と一致しているか、確認する。
（Ｃ）使用例
鉄骨構造物製作の鉄工所（３事業所）に見本を作り使用して頂いた結果
（ア）図面上の数字をそのまま製品にケガケばよい為、作業が速くなった。
（イ）スパンと全長の確認が簡単に出来た。
（ウ）計算機及び暗算によるわずらわしさが無くなった。
（エ）社内製品検査においても非常に簡単に寸法チェックが出来  作業効率がよい。
【図面の簡単な説明】
【０００７】
【図１】  本発明の斜視図である。
【図２】  本発明の左より見た留め金具の開放した時の図である。
【図３】  本発明の左より見た留め金具を固定した時の図である。
【符号の説明】
【０００８】  １  留め金具
２  巻尺
３  巻尺
４  巻取ストッパー
５  巻取ストッパー
６  巻取ケース
７  ベース板
【図１】
2009282001.tif 000003
【図２】
2009282001.tif 000004
【図３】
2009282001.tif 000005
(57)【要約】【課題】  波長可変半導体レーザ光源からの可視光や近赤外光を対象物に照射して得られる透過スペクトルや反射スペクトルを分析すると、対象物に含まれる特定成分の含有率が得られる。しかしあらかじめ対象物の正しい品種名がわかっていないと基準スペクトルが設定できないから、測定したスペクトルとの比較ができず、特定成分の含有率の算出が不可能となる問題があった。【解決手段】  そこでこの発明は、あらかじめ対象となる分野毎に様々な品種に関してスペクトルと特定成分の含有率を測定して、それをデータベース化してカードメモリに記憶させておく。測定時に携帯型スペクトル分析機に該当分野のカードメモリをセットし、測定したスペクトルとカードメモリ内のデータベースのスペクトルをコンピュータで逐次パターン比較して最も近似したスペクトルを決定して対象物の品種名を自動的に同定し、双方のスペクトルのわずかな差異から特定成分の含有率を算出している。【選択図】なし【特許請求の範囲】
【請求項１】
あらかじめ対象となる分野毎に、様々な品種の対象物に関してスペクトルと特定成分の含有率を測定して、それをデータベース化してカードメモリに記憶させておき、測定時に携帯型スペクトル分析機に該当分野のカードメモリをセットして、測定したスペクトルとカードメモリ内のデータベースのスペクトルをコンピュータで逐次パターン比較して最も近似したスペクトルを決定して対象物の品種名を自動的に同定し、双方のスペクトルのわずかな差異から特定成分の含有率を算出する方法。
【発明の詳細な説明】
【技術分野】
【０００１】  この発明は可視光や近赤外光を発生する波長可変半導体レーザ光源による携帯型スペクトル分析機のデータを処理する方法に関するものである。
【背景技術】
【０００２】  波長可変半導体レーザ光源からの可視光や近赤外光を対象物に照射して得られる透過スペクトルや反射スペクトルを分析すると、対象物に含まれる特定成分の含有率が求まる。据え置き型の分光分析機では熟練者が操作するので問題がないが、携帯型スペクトル分析機では一般人が操作するために、あらかじめ対象物の正しい品種名がわかっていないと基準スペクトルが設定できないから、測定したスペクトルとの比較ができず、特定成分の含有率の算出が不可能となる問題があった。
【発明の開示】
【発明が解決しようとする課題】
【０００３】  そこでこの発明は、対象物の正しい品種名がわからない場合でも、自動的に対象物の品種名を同定して特定成分の含有率を算出できるようにして、一般人でも容易にスペクトル分析ができる事を目的としている。
【課題を解決するための手段】
【０００４】  あらかじめ対象となる分野毎に、様々な品種の対象物に関してスペクトルと特定成分の含有率を測定して、それをデータベース化してカードメモリに記憶させておく。測定時に携帯型スペクトル分析機に該当分野のカードメモリを選択してセットし、測定したスペクトルとカードメモリ内のデータベースのスペクトルをコンピュータで逐次パターン比較して最も近似したスペクトルを決定して対象物の品種名を自動的に同定し、双方のスペクトルのわずかな差異から特定成分の含有率を算出している。
【発明の効果】
【０００５】  測定者が対象物に関して得られる情報の範囲内でカードメモリの該当分野を選択してセットすればよいから、簡単に対象物の品種名の同定ができ、それに含まれる特定成分の含有率を自動的に算出できる。携帯型スペクトル分析機はすべてのカードメモリに共通して利用できるから、データベースを人間・果実・茸・魚・肉・鉱物・プラスチック・金属などの細かい品目別にカードメモリで供給すれば、あらゆる対象物のスペクトル分析に対応できる。データベースを内臓メモリに入れる方法はデータベースの数が多くなりすぎて検索に時間がかかる欠点があるが、カードメモリを使うとデータベースの数が限定される為検索時間が短く、データの追加や更新も簡単にできる。
【発明を実施するための最良の形態】
【０００６】  波長が４００ｎｍから２０００ｎｍまでの可視光や近赤外光を人体の血管部分に照射して得られる透過スペクトルや反射スペクトルを解析すると、血糖値やコレステロール値やアルコール濃度が得られる。しかし人種・性別・年齢・体型・健康状態などによってスペクトルや血液成分データにばらつきがあるために、標準となるスペクトルの設定が困難であった。また同じ人でも朝・昼・夜の測定の時間帯や測定部位によりスペクトルや血液成分データが変動する問題があった。そこで測定可能なあらゆる人々に関して様々な状態の透過もしくは反射スペクトルを測定し、得られたスペクトルとその時の血液成分データを、データベース化してカードメモリに人種や性別や年齢などで分類して保存している。対象となる人物の人種や性別や年齢などは明らかであるから、そのカードメモリを携帯型スペクトル分析機にあらかじめセットし、実際に測定したスペクトルとカードメモリ内のデータベースをコンピュータでパターン比較して最も近いスペクトルを求め、このスペクトルの人物を擬似標準人物として標準データを一時的に設定する。そして、この擬似標準人物に関するデータベース内の複数のスペクトルと測定スペクトルとの差異から、求める血液成分に関する値をそれぞれ算出する。標準データを特定せず、測定の都度に擬似標準人物を設定しているので、算出する血液成分の値の誤差を小さくできる。この方式では当人の体型や年齢が変化していっても自動的に擬似標準人物も変化するので、標準データを固定する方式より優れている。
【産業上の利用可能性】
【０００７】  糖尿病患者の血糖値の測定、交通違反者のアルコール濃度測定、収穫前の果物の糖度の測定、茸狩りの毒茸の判別、カット魚肉の判別、牛肉と豚肉の混合物の混合割合の算出、廃プラスチックの分別、廃品金属の分別などの様々な分野で利用できる。
(57)【要約】      （修正有）【課題】時刻を人の記憶やメモに頼らずに正確に記憶する。【解決手段】時計は、時刻表示画面１、時刻記憶スイッチ２、表示画面切り替えスイッチ３を有し、時刻記憶スイッチ２を押すことで時計内部に時刻記憶スイッチ２を押した時刻が記憶される。表示画面切り替えスイッチ３により通常の現在時刻表示と記憶した時刻表示とを切り替える。記憶した時刻表示に関しては、複数の記憶した時刻を表示、あるいは記憶した時刻を個々に表示する表示形態を有する。【選択図】図２
2009282004.tif 000002
【特許請求の範囲】
【請求項１】
時刻を記憶・表示する機能を有する時計。
【発明の詳細な説明】
【技術分野】
【０００１】  本発明は、時計に関するものであり、任意の時刻の記憶・表示機能を加えることにより、時計の利便性を向上させたものである。
【背景技術】
【０００２】  時計は現在の時刻を示すものである。
【発明の開示】
【発明が解決しようとする課題】
【０００３】  時刻を記憶する場合、個人の記憶に頼る、あらかじめメモに残す等の方法がとられる。しかし、緊急の場合や、作業中などはメモを取るのが困難な場合があり、その際の人間の記憶も曖昧な場合が多い。本発明は、このような、時刻の記憶の曖昧さを解決することを目的とする。
【課題を解決するための手段】
【０００４】  この課題を解決するための請求項１の発明は、使用者が置時計に設けられたスイッチを押すという簡単な操作で時計内の記憶装置に時刻を記憶し、時計の表示画面を切り替えることによって、使用者がスイッチを押した時刻を表示する。
【発明の効果】
【０００５】  本発明により、人の記憶やメモに頼ることなく、任意の時刻を簡単に記憶・表示することが出来る。
【発明を実施するための最良の形態】
【０００６】  図１は、発明部位を示す斜視図である。時刻表示画面（▲１▼）、時刻記憶スイッチ（▲２▼）、表示画面切り替えスイッチ（▲３▼）を有し、時刻記憶スイッチ（▲２▼）を押すことで時計内部に時刻記憶スイッチ（▲２▼）を押した時刻が記憶される。【０００７】  図２は、記憶した時刻を表示した状態を示した立面図である。表示画面切り替えスイッチ（▲３▼）により通常の現在時刻表示と記憶した時刻表示を切り替える。【０００８】  記憶・表示される時刻は複数回である。【０００９】  記憶した時刻を表示する方法は、図２に示すような一覧表示でも、図３に示すような１回毎の個別表示でもよい。
【産業上の利用可能性】
【００１０】  本発明は時計の利便性を向上させる可能性を有する。
【図面の簡単な説明】
【００１１】
【図１】  記憶する時計の発明部位を示した斜視図である。
【図２】  記憶した時刻を一覧表示した状態の記憶する時計を示した立面図である。
【図３】  記憶した時刻を１回毎表示した状態の記憶する時計を示した立面図である。
【符号の説明】
【００１２】  ▲１▼    時刻表示画面
▲２▼    時刻記憶スイッチ
▲３▼    表示画面切り替えスイッチ
【図１】
2009282004.tif 000003
【図２】
2009282004.tif 000004
【図３】
2009282004.tif 000005
(57)【要約】      （修正有）【課題】従来の船はモスク、ドームが無かった。集会場所も無くお祈りも別々だった。それに、よって多目的ドームも無かった。集まってお祈りする事もなかった。【解決手段】それが、船にモスク、ドーム２Ｂを作る事によって、集会場所にもなり、お祈り等を皆で、出来るようにした。違いはドームの天辺である。これで、陸上海上でもお祈り、又、集会等ができる事になった。海上でも、陸上のように、お祈りや集会を解決した。進歩新規性のある。必要船を生み出し便利な役に立つ永続的に続く発明であり実用で産業発展に寄与する。【選択図】図３
2009280181.tif 000002
【特許請求の範囲】
【請求項１】
お祈り用モスクと多目的ドームを備えた、モスクドーム船。ノアの船とは違う形でできている。この発明により、集団でお祈りもできる、モスク。又集団で多目的ドームに使える。少人数から大人数まで、小型から大型まで、作る事ができる。
【請求項２】
船に、モスクドーム、又、ドームを設置する事によって、より船を進歩させ、新しく、開発した。アラブ、イスラーム等、他集団にとってどれほど、良い事か、船はこれで変わった事を特微とする。
必要の高い実用船であり、船の進歩と新規性の発展に寄与した船で永続して使えるモスクドーム船となった。万年、続けられる船である。
【発明の詳細な説明】
【技術分野】
【０００１】  本発明は船のお祈り場所を提供する。モスクとドームと又多目的ドームに関する。
【背景技術】
【０００２】従来の船では無かった船である。地上にて施している。
陸上ではモスクは世界中にあり、陸上だけであった。又ドームも地上だけであった。
【発明の開示】
【発明が解決しようとする課題】
【０００３】  以上に述べた従来の船はモスクもなく祈りもバラバラであった。地上だけで集まって祈っていた。これが船の開発により船にも取り付ける事が、可能になった。作成する事が、出来るようになった。【０００４】  本発明はこのような、従来の構成が有していた問題を解決しようとするものであり、イスラーム等に、お祈りなどを船中でも船上でも出来る様にし、進歩性と新規性で、さらに又多目的ドームでも使用できるようにしたものである。
【課題を解決するための手段】
【０００５】そして、本発明は上記目的を達成するために、集団で、お祈りをするため又多目的ホールを使用するため、ドームを設け、モスクに使用でき多目的にも、使用できるようにしようとしたものである。
【発明の効果】
【０００６】個別に祈っていたお祈りを一箇所に、集めてお祈りが出来るようにし、個別に何かをしていた事を、多目的ドームによって、皆で出来るようにした。
【発明の実地するための最良の形態】
【０００７】  以下、本発明の実地の形態を図１〜図３に基づいて説明する。図においては１は横から見たドームであり２は後方から３は斜めから、これによって集団でお祈りが出来イスラームとかその他の集団でも、お祈りが出来るようになっている。又、多目的等などにも使用できる。
【０００８】陸だけだった、お祈りもモスク設置する事に、よって海上でも集団小団でも、できるようにした。その効果たるや１万年つづく革命的な発明である。
【０００９】陸上から海上へ集団集会などでも、出来るようになり、又、多目的にも使用できる、便利で、いままで無かった、発明である。この発明によって、イスラーム等の人々、人達、又他集団達が図で見るように、ドームに集まって、色々な催しが、出来るようになった。
【００１０】陸上でも海上でも集会等やお祈りが変わらず、出来るようになった。
【００１１】  まったく進歩新規性の有る。発明になった。製造方法の高度に進歩した実用船であり、船の発展に寄与した、便利の良い船ができた。世界のドーム、モスク船である。
【図面の簡単な説明】
【００１２】
【図１】本発明の実施形態を示すドーム、モスク船の横面図
【図２】同後方から見た後観図
【図３】同斜めから見た外観図
【符号の説明】
【００１３】１Ａ本体
２Ｂドーム、モスク
３Ｃ印し
【図１】
2009280181.tif 000003
【図２】
2009280181.tif 000004
【図３】
2009280181.tif 000005
(57)【要約】【課題】従来の四輪駆動車は激しい凸凹路などを走ると、車体底面部が路面に接触損傷するという問題と、車体底面部が凸凹路の地面の凸部に乗り上げ、車輪が浮き上がり走行不能になるという問題があった。【解決手段】四輪駆動車の低面部に前後部を湾曲させた、ロ−ラ−コンベヤ−を取り付けたものである。これにより激しい凸凹路を走行しても、車体底面部が接触損傷することがない、車輪が浮き上がっても左右或いは前後何れかの車輪が接地していれば、そのまま走り抜けることができる、そして深い轍に嵌まり車輪の全部が空転して走行不能になっても、後ろから人力で押し出せば運転走行が可能になる。【選択図】図１
2009280186.tif 000002
【特許請求の範囲】
【請求項１】
前後部を湾曲させたロ−ラ−コンベヤ−を車体底面部に取り付けた四輪駆動車。
【発明の詳細な説明】
【技術分野】
【０００１】  本発明は、凸凹路をより走りやすくした四輪駆動車に関する。
【背景技術】
【０００２】  従来の四輪駆動車は、車高を上げるなど凸凹路を走っても、車体が路面と接触をさける構造になっている、しかし車輪半径より大きい凸凹路は、車軸関連部分が地面と接触乗り上げ、走り抜けることが出来なかった。
【発明の表示】
【発明が解決しようとする課題】
【０００３】  以上に述べた従来の四輪駆動車では、車輪半径より大きい凸凹路は、車体低部や車軸関連部分が地面の凸部と接触損傷することがある、また地面の凸部に乗り上げ車輪が空転するなど、走行不能になることがある。
【０００４】  本発明は、このような従来の構成が有していた問題を解決しようとするものであり、凸凹路を走っても、車体低部の接触損傷をなくし、地面の凸部に乗り上げ車輪が空転しても、走行不能にならない事を目的とするものである。
【課題を解決するための手段】
【０００５】  そして、本発明は上記目的を達成するために、四輪駆動車の低面部に前後部を湾曲させた、ロ−ラ−コンベヤ−を取り付けたものである。
【発明の効果】
【０００６】  上述したように本発明の四輪駆動車は、凸凹路を走り車体が地面の凸部に乗り上げても、ロ−ラ−コンベア−が車体底面部を保護するので、車体底面部が接触損傷することがない。
【０００７】  また、車体底面部に前後部を湾曲させたロ−ラ−コンベヤ−が付いているので、地面のの凸部に衝突しないで、緩やかに乗り上げ緩やかに降りて、車体の前後部の接触損傷を避けることが出来る。
【０００８】  地面の凸部に乗り上げてどちらかの車輪が浮き上がっても、左右或いは前後いずれかの車輪が接地していれば、そのまま走り抜けることができる。
【０００９】  そして、深い轍に嵌まるなど車輪の全部が空転して走行不能になっても、ロ−ラ−コンベヤ−で車体を支えているので、後ろから人力で押し出す事が出来、再び車輪が接地する所で運転走行が可能になる。
【発明を実施するための最良の形態】
【００１０】  以下、本発明の実施の形態を図１図２に基ずいて説明する。【００１１】  図においては、前部湾曲部３、後部湾曲部４を持つロ−ラ−コンベヤ−１が、支持金物５により車体底面部に取り付けられている。
【図面の簡単な説明】
【００１２】
【図１】本発明の実施形態を示す四輪駆動車の側面図
【図２】本発明の実施形態を示す四輪駆動車の低面図
【符号の説明】
【００１３】１  ロ−ラ−コンベヤ−
３  ロ−ラ−コンベヤ−前部湾曲部
４  ロ−ラ−コンベヤ−後部湾曲部
【図１】
2009280186.tif 000003
【図２】
2009280186.tif 000004
(57)【要約】      （修正有）【課題】高齢者の運転時の意思と操作を一致させるためセレクトレバーの前進後退の操作と、アクセルペタルによる加速とブレーキペタルでの停止の相反する動作を事前に明確にすることで事故を防止する。【解決手段】オートマチック車のセレクトレバー２の押し釦３がワンタッチで操作出来ないよう、一動作加えるためセレクトレバー２に押し釦カバー１を取り付けた事と、アクセルペタル踏み込み位置に右足を置いた時、右足踵が圧力スイッチ５を動作させて運転者に注意を喚起する表示灯１１を点灯する事を特徴とする自動車安全運転用品。【選択図】図１
2009280185.tif 000002
【特許請求の範囲】
【請求項１】
オートマチック車のセレクトレバーの押し釦がワンタッチで操作出来ないよう、一動作を加えるためセレクトレバーに押し釦カバーを取り付けた事を、特徴とする自動車安全運転用品。
【請求項２】
オートマチック車の、アクセルペタルと運転者座席支持枠金具の間の車内床上に圧力スイッチを固定して、アクセルペタル踏み込み位置に右足を置いた時右足踵が圧力スイッチを動作させて、運転者に注意を喚起する表示灯を点燈する事を特徴とする自動車安全運転用品。
【発明の詳細な説明】
【技術分野】
【０００１】  本発明は、高齢者のオートマチック車運転時にセレクトレバの前進、後退の操作間違いと、アクセルペタルとブレーキペタルの踏み間違いを防止するための自動車安全運転用品に関するものである。
【発明の開示】
【発明が解決しようとする課題】
【０００２】  そのために、次のような問題点があった。
（イ）オートマチック車は、セレクトレバに左手を置くと親指が押し釦に接触し無意識にセレクトレバーを操作をしている為、前進、後退の操作区分が明確で無くなっている。
（ロ）オートマチック車は、ブレーキペタルとアクセルペタルを右足で踏むため錯覚による踏み違いからの事故が多発している。
【課題を解決しようとするための手段】
【０００３】  オートマチック車のセレクトレバーの押し釦がワンタッチで操作出来ないよう、一動作を加えるためセレクトレバーに押し釦カバーを取り付けた事と、アクセルベタル踏み込み位置に右足を置いた時、右足踵が圧力スイッチを動作させて運転者に注意を喚起する表示灯を点灯する事を特徴とする自動車安全運転用品。
【発明の効果】
【０００４】  本発明は、高齢者の運転時の意思と操作を一致させるためセレクトレバーの前進後退の操作と、アクセルペタルによる加速とブレーキペタルでの停止の相反する動作を事前に明確にすることで事故を防止する。
【発明を実施するための最良の形態】
【０００５】以下、本発明の実施の形態について説明する。
（イ）左手でセレクトレバーの握り部分を握ったとき、親指が押し釦カバー上になるような押し釦カバーを塩化ビニール樹脂で形成して、セレクトレバーの握り部分の右側から押し釦カバーを嵌め込む。
（ロ）この押し釦カバーは、セレクトレバー握り部分に固定する。
（ハ）セレクトレバーを後退位置に動作させる時は、カバー上の左手の親指を真横右方に一杯に伸ばしてその親指を下方に曲げて  カバー下に入れてからセレクトレバーの押し釦を押してセレクトレバーを後退の位置に動かす。
（ニ）アクセルペタルの手前床上に、アクセルペタルと運転席座席架台枠金との間に圧力スイッチ盤を設置し固定する。
（ホ）圧力スイッチ盤は塩化ビニール樹脂製カバーで密閉して、配線用通線孔を設ける。
（ヘ）運転席より見やすいケ所に表示灯函を堅固に設置し、表示灯函正面窓アクリル板に（アクセル）と明記する。
（ト）電源は電池とし、電源と圧力スイッチ盤と負荷間を電線で接続する。
（チ）運転者右足がアクセルペタルの位置に来ると、右足踵が圧力スイッチ盤の上に乗り圧力スイッチが接触し表示灯が点灯して、表示灯函正面アクリル板の（アクセル）の文字が照射されることで、運転者は明確に確認する事が出来る。
【図面の簡単な説明】
【０００６】
【図１】  本発明のセレクトレバー押し釦カバー図
【図２】  本発明のセレクトレバー押し釦カバー取り付け斜視図
【図３】  本発明の圧力スイッチ斜視図
【図４】  本発明の表示灯函正面図
【符号の説明】
【０００７】      １    セレクトレバー押し釦カバー
２    セレクトレバー
３    セレクトレバー押し釦
４    圧力スイッチ盤
５    圧力スイッチ盤スイッチ部
６    圧力スイッチ盤スプリング部
７    圧力スイッチ盤スプリングホルダー
８    電線
９    圧力スイッチ盤カバー
１０    表示灯函
１１    負荷ランプ
１２    電源
１３    表示灯函正面窓アクリル文字板（アクセル）
【図１】
2009280185.tif 000003
【図２】
2009280185.tif 000004
【図３】
2009280185.tif 000005
【図４】
2009280185.tif 000006
(57)【要約】【目的】  この発明は、職業によって沢山の人々が作業中、頑固に汚れた手を（薬品・コ−ルタ−ル・接着剤・農薬）を短時間できれいに洗い落とし、一日に使用回数が多くても後遺症など起こさない。  クリ−ンな手洗い用具である。【構成】  表面を顆粒ダイヤモンド・コ−テング加工した石鹸で、洗剤を、併用して使用する、ため、本体の内側を水性洗剤を入れる容器とした。  本体に、楕円形の浅い凹みのラインを前面に設けたことで、本体が、強固になり、握りやすくて、日用品としてヤスリかけ等、用途に広がりがある。【洗択図】図２【特許請求の範囲】
【請求項１】
本発明は、本体表面を顆粒ダイヤモンド・コ−テング加工した石鹸で、水性洗剤を併用して使用する為に、本体顆粒ダイヤモンド・コ−テング加工した石鹸の内側を、水性洗剤、オイル等を入れる容器とし。本体、石鹸容器の底面に、洗剤を入れる口を造り、キャップをつける。キャップの中心に使用する分だけ出すための、小さい穴を開けて、キャップの外側から中心に穴を塞ぐ突起の着いた、キャップをつける。
本体石鹸を、握りやすくて強固に造るために、浅い楕円形をした凹みのラインを前面に設ける。ダイヤモンドやすりとしての、機能も十分ある。
【発明の詳細な説明】
【発明の詳細な説明】
【０００１】  本発明は、頑固な手の汚れを、皮膚を荒らすことなく短時間できれいに洗うことです。これまでは（接着剤・農薬・セメント・泥）等、と、向き合って仕事をしている人達は、石鹸とたわし、スポンジなどを使用して、強くこすって、膚を痛めてしまいがちでした、それでも頑固な汚れは落とすことができませんでしたが。
本発明は、洗剤を手に付けて、手と本体の石鹸が濡れていれば簡単に汚れは落ちてきれいになります。接着剤ほか頑固な汚れは、洗剤で手と本体が濡れていないと、また皮膚に付いてしまう程頑固なものです。
本発明は、手に傷をつけませんから、不思議に感じますが顆粒ダイヤモンド・コ−テング加工した石鹸の、表面が、手に傷を付けるほど荒くないのです。本発明は、本体の、どの部分も鈍角ですから使用するさい安全です。
【産業上の利用分野】
【０００２】  本発明は、日常沢山の人達が、仕事中に主として、手の汚れですが、この頑固な汚れを洗い落とすのに大変に苦労していますが。
本発明は、頑固に汚れた手でも短時間できれいに洗い落とします。
【背景技術】
【０００３】  今までは、たわし、スポンジ等に石鹸つけて洗いましたが、手に傷が着くほどこすり洗いしても、頑固な汚れはなかなか洗い落とすことができませんでした。
【発明が解決しようとする課題】
【０００４】  本発明は、頑固な手の汚れを手に傷付けることなく素早く綺麗に洗うこと。
【課題を解決するための手段】
【０００５】  本発明は、頑固に汚れた手を素早く綺麗に洗う為に、表面を顆粒ダイヤモンド・コ−テング加工した石鹸として、内側を水性洗剤、オイル、乳液などを入れる容器とした。
【発明の効果】
【０００６】  本発明は、仕事現場に携行できる。現場に水がなくても洗剤と本体で応急処置対応ができる。本体の、前面に楕円形の浅い凹みのラインを設けた。使用のさい手で、にぎりやすく、本体が強固にできて、やすりとして使用する際は、用途が広がり便利に使用できる。楕円形の、凹みラインを利用して、爪を短く削ったり、爪切りのあとやすりかけに使用できたり、日常使用する用途が広い。鉱物とか硬いものには。甚だ強靭だけれども。手には優しい。
（洗剤で手の膚が荒れる人は、オイル、乳液などを入れて、ダイヤモンドコ−テング石鹸で洗うと、しっとりした洗い上がりの手になります。
以上のように、本案構造は、極めて簡単であるが、効果は絶大なものがある。
【図面の簡単な説明】
【図１】  正面図  左側面図
【図２】  正面切断図
【図３】  底面図
【図１】
2009280778.tif 000002
【図２】
2009280778.tif 000003
【図３】
2009280778.tif 000004
(57)【要約】【目的】    帯電（静電気）を発生する、繊維、電子部品類、印刷工程などに求められる耐久性のある帯電（静電気）防止効果を実現し衣料用、カーシート用、用紙印刷、電子部品類への応用で安定な性能を可能とした。【構成】  ポリエチレングリコール分子の両端末にアミン基を結合反応させたポリエチレングリコールジアミノプロピルエーテルまたはポリエーテルアミンを帯電（静電気）防止剤として利用し、耐久性向上に、イソシアネート系、またはグリシジルエーテル系を併用することで性能維持する新規加工剤と処理法。【特許請求の範囲】
【請求項１】
ポリエチレングリコールの両末端にアミン基を結合した物質を帯電防止剤として使用
【請求項２】
耐久性向上剤としてイソシアネート系またはグリシジルエーテル系を併用する
【発明の詳細な説明】
【従来の技術と課題】
【０００１】従来の帯電防止剤は４級アンモニウム塩、グアニジン塩などのカチオン系薬剤を使用しまたは樹脂と併用して耐久性を維持しているが、風合い、耐久性に問題点が多く帯電で問題のある業界（電子、印刷、繊維、自動車）から耐久性のある薬剤、処方が強く要望され長年の課題となっております。低湿度（乾燥）国で多発する事故、誤作動の防止に対策が急務となっております。
【課題解決の手段】
【０００２】本発明は、上記問題を解決すべく研究を重ねた結果以下に述べる新規加工薬剤と処理方法を完成するに至った
【０００３】本発明は、ポリエチレングリコールにアミン基を結合させた物質とイソシアネートまたはグリシジルエーテル系を適量な比率で混合し被処理物に付着させ熱乾燥処理することで薬剤同士が結合して耐久性のある帯電防止加工が可能ではないかと考え鋭意研究を重ねた。
以下本発明の詳細を説明する
【０００４】ポリエチレングリコールの分子量約４００〜５０００の物質から分子量約６００と約４０００の２点を選びアミン基を結合させた物質ポリエチレングリコールジアミノプロピルエーテル、またはポリエーテルアミンの２種類が完成。
【０００５】ポリエチレングリコールジアミノプロピルエーテルまたはポリエーテルアミンの物質を酸性薬剤でＰＨ調整してＰＨ５〜７とし０，５〜５％ｖｏｌ％水溶液とイソシアネート、またはグリシジルエーテル０，２〜１，５％の割合で混合し繊維に含浸させマングル機で均一に絞り繊維の重量に対し４０〜２００％の割合で付着して１００〜１２０℃１分予備乾燥後１３０〜１８０℃１分乾燥する。その後耐久性の確認テストを実施する。
【０００６】分子量約６００，４０００の物質とイソシアネートまたはグリシジルエーテルで加工処理した［０００５］の生地をｊｉｓ規格洗濯法Ｌ−０２１７−１０３法で洗濯１０回並びに生地摩擦処理後の帯電圧を測定。
スタテックメーターにて測定（単位はボルト）
分子量約６００        分子量約４０００
未処理布              ３８００  Ｖ            ３８００  Ｖ
洗濯１０回後            １００  Ｖ              ８００  Ｖ
摩擦後                  ４００  Ｖ              ６００  Ｖ
結果は満たされ更に研究を重ねる。
【０００７】  帯電性能については、良好な結果となったが、日光に対する堅牢度、耐熱性、熱変色性に対して分子量６００の物質品にたいし更なる性能向上を研究するが、向上は困難と判断し分子量６００の繊維向けは断念する。分子量約４０００の物質は、日光に対する堅牢度、耐熱性、熱変色性が少なく研究を重ねた。
【０００８】分子量約４０００のポリエチレングリコールジアミノプロピルエーテルまたはポリエーテルアミンとイソシアネートまたはグリシジルエーテルの加工処理方法は［０００５］と同様とし性能試験を繰り返し日光に対する堅牢度、耐熱性、熱変色性についてＪＩＳ等級３級以上の結果が判明し帯電圧結果は次に示す
スタテックメーターにて測定（単位はボルト）
分子量約４０００
未処理布            ６３００  Ｖ
洗濯１０回後          ３００  Ｖ
摩擦後                ８００  Ｖ
結果は帯電性能に耐久性が確認出来た。
【実施例１】
【０００９】  ポリエチレングリコールジアミノプロピルエーテルまたはポリエーテルアミンのＰＨ調整品を０，５〜５  Ｖｏｌ％とイソシアネート、またはグリシジルエーテル０，２〜１，５Ｖｏｌ％の割合で水溶液として混合し帯電（静電気）の発生する電気部品、ブラウン管式テレビ画面、カーシートなどにスプレーしてドライヤーなどで乾燥することで、帯電（静電気）の発生は抑制されほこり、ゴミなどの付着は全くない。
乾燥温度が低い関係で耐久性は低い。
【実施例２】  ポリエチレングリコールジアミノプロピルエーテル、またはポリエーテルアミンの分子量約６００，４０００のＰＨ調整品（ＰＨ５〜７）を０，１〜０，５ｖｏｌ％の水溶液を帯電（静電気）の発生する用紙印刷時、電子部品搬送時に生じる強烈な帯電から身を守るために作業服、台車、機械、発生源などにスプレーして乾燥すれば危険性から解放することができる。この場合は帯電（静電気）抑制の強い分子量約６００が適正である。
【発明の効果】
【００１０】  本発明は、上記に示された如く耐久性のある帯電防止効果が明確となり繊維、電子部品類、自動車関連、印刷関連など多くの業界に技術上有効なる手段を生み出すものである。
(57)【要約】【目的】減圧じょうごを使用して液体をビンや容器等の入り口から中に流し込むとき、じょうごの外周側面に設置されているリブ状の突起により、減圧じょうごをビンや容器等の入り口の上方向に持ち上げ、液体を流し込んだとき発生するビンや容器等の内部の空気圧力を減圧し、内部の空気圧力が上昇しないことにより、ビンや容器等の内部の空気圧力が変化せず、液体を流し込んだとき発生するビンや容器等の内部の空気の空気圧力の影響を受けて、液体が押し戻されて、液体の流入が遅くなったり、液体が溢れたりすることがなく、液体がスムーズに早く流し込めることを目的にしている。【構成】本発明はプラスチック等の材質により１部品で構成されている。この減圧じょうごをビンや容器等の入り口に設置することで、液体をすばやく、溢れさせたりすることなく、簡単に液体をビンや容器等に流し込める。【選択図】図１
2009280276.tif 000002
【特許請求の範囲】
【請求項１】
じょうごの外周側面にリブ状の突起を設置して、リブ状の突起により、じょうごがビンや容器等の入り口の上方向に持ち上げられて、じょうごの外周側面がビンや容器等の入り口と密着しない、図２にしめす構造を有することにより、液体をじょうごの上から流し込んだとき、じょうごとビンや容器等との隙間から空気が移動して、ビンや容器等の内部の空気圧力が上昇しないことにより、ビンや容器等の内部の空気圧力が変化せず、液体がビンや容器等の内部の空気圧力により押し戻されることがなく、スムーズに液体がビンや容器等の内部に流れ込み、じょうごの上部から液体が溢れることのない減圧じょうご。
【発明の詳細な説明】
【技術分野】
【０００１】本発明は、じょうごを使用して液体をビンや容器等の入り口から中に流し込むとき、じょうごの外周側面に設置されているリブ状の突起により、じょうごがビンや容器等の入り口の上方向に持ち上げられて、液体を流し込んだとき発生するビンや容器等の内部の空気圧力を減圧し、内部の空気圧力が上昇しないことにより、ビンや容器等の内部の空気圧力が変化せず、液体を流し込んだとき発生するビンや容器等の内部の空気圧力の影響を受けて、液体の流入が遅くなったり、液体が溢れたりすることがなく、液体がスムーズに早く流し込める減圧じょうごに関するものである。
【背景技術】
【０００２】従来のじょうごは、従来のじょうごをビンや容器等にセットして液体を流し込むとき、従来のじょうごの外周側面とビンや容器等の入り口が図３に示すように密着しているため、液体を流し込んだとき、ビンや容器等の内部に流し込まれた液体により、ビンや容器等の内部の空気圧力が上昇して、従来のじょうごの上部から流し込む液体が内部の空気圧力の影響を受けて、流し込まれにくくなり、液体が押し戻されて、液体の流し込みが遅くなったり、液体が溢れたりして困っている。【０００３】そのため、従来のじょうごをビンや容器等の入り口から手で持ち上げて浮かし、従来のじょうごの外周側面からビンや容器等の内部に発生している空気圧力を減少させて、ビンや容器等の内部で発生している空気圧力を抜くことにより、液体がスムーズに流し込めるようにしている。【０００４】しかしながら、この方法では液体を流し込むとき、手で持ち上げているため、従来のじょうごが不安定な状態になり、ときどき、従来のじょうごを持ち上げすぎたり、従来のじょうごが傾いたりして、流し込む液体がこぼれて困っている。
【発明の開示】
【発明が解決しようとする課題】
【０００５】解決しようとする問題点は、従来のじょうごをビンや容器等の入り口にセットして液体を流し込むとき、従来のじょうごの外周側面とビンや容器等の入り口が密着して、液体を流し込んだとき、ビンや容器等の内部に流し込まれた液体により、ビンや容器等の内部の空気圧力が上昇して、従来のじょうごの上部から流し込む液体が内部の空気圧力の影響を受けて、液体が押し戻され、液体をスムーズに流し込むことができなくなるのが現状です。
【課題を解決するための手段】
【０００６】本発明は、じょうごの外周側面にリブ状の突起を設置して、図２に示すように、じょうごをビンや容器の入り口の上方向に持ち上げ、じょうごの上部から液体を流し込んだとき発生するビンや容器等の内部の空気圧力を減圧し、内部の空気圧力が上昇しないことにより、ビンや容器等の内部の空気圧力が変化せず、液体を流し込んだとき発生するビンや容器等の内部の空気圧力の影響を受けて、液体が押し戻されて、液体の流入が遅くなったり、液体が溢れたりすることがなく、液体がスムーズに早く流し込める減圧じょうごである。
【作用】
【０００７】以上のように、本発明は図１のように、非常に簡単な構造をしていて、低コストであるため、経済的な負担は少なく、従来のじょうごと同じ使用方法で、従来の問題点を解消して、本発明のじょうごを使用して、ビンや容器等にスムーズに、早く、液体を流し込むことができる。
【実施例】
【０００８】本発明の実施例を図面に基ずいて説明する。
図１はじょうごの外周側面にリブ状の突起を設置した構造図で、じょうご１、リブ状の突起２とから構成されている。材質はプラスチック等で製作されている。【０００９】図２は図１のじょうご１をビン６に設置した状態を示す構造図で、じょうご１、リブ状の突起２、ビン６、液体３〜５とから構成されている。【００１０】図３は、従来のじょうご７をビン６に設置した状態を示す図である。
【発明の効果】
【００１１】以上のように構成された本発明の減圧じょうごは子供、女性、老人の誰にでも、簡単にビンや容器等に液体をスムーズに、手早く流し込むことができるのはすばらしいことである。
【００１２】又、液体をビンや容器等に流し込むときに液体を溢れさすことがなくなるのは大切なことである。
【図面の簡単な説明】
【００１３】
【図１】本実施例の減圧じょうごの構造を示す図である。
【図２】本実施例の減圧じょうごをビンに設置した状態を示す図である。
【図３】本実施例の従来のじょうごをビンに設置した状態を示す図である。
【符号の説明】
【００１４】１．じょうご
２．リブ状の突起
３．液体
４．液体
５．液体
６．ビン
７．従来のじょうご
【図１】
2009280276.tif 000003
【図２】
2009280276.tif 000004
【図３】
2009280276.tif 000005
(57)【要約】【課題】従来の骨材は球体型により圧縮力は有るものの、摩擦抵抗が少なく引張力がなく、重量も重くなってしまう。【解決手段】骨材、球体からトゲトゲ状にする事により表面積と接着面を増やせ密度が高くなり、圧縮力と引張力を高める事が可能になり、耐震強度の高い骨材を提供出来る。また、軽量化を高める事も出来る。【選択図】図１−１
2009280477.tif 000002
【特許請求の範囲】
【請求項１】
高層ビル、高速道路、高架等、骨材の材料、メサライト等の円球形の材料をお菓子のこんぺいとう型に加工し表面積を増やす。
【請求項２】
表面積を増やすことにより、接着面が多くなりコンクリート等の接着面・摩擦力を増やし強度を計り知れないほど耐震強度を上げる事が可能になる。
【請求項３】
こんぺいとう型のトゲトゲの有る球体にすることにより表面積を増やす事ができ、軽量化にもするとこが出来る。
【発明の詳細な説明】
【技術分野】
【０００１】本発明は耐震強度上げ、軽量化を図る建設材料に関する。
【背景技術】
【０００２】従来の骨材は砂・砂利等を使いセメントなどの糊状のもので結合させたものを使う。【０００３】砂・砂利の固体１つ１つは凹凸が少なく、重量もある。また、コンクリートは圧縮力には強いが、引張力には弱い。【０００４】引張力を補う為鉄筋を入れて鉄筋コンクリートとして使ってる。
【発明の開示】
【発明が解決しようとする課題】
【０００５】本発明は上記に述べた砂・砂利・鉄筋は引張力・重量などが補えず、コストがかかり、また天然骨材を使用する事により自然を壊す。
【課題を解決するための手段】
【０００６】本発明は従来の課題を克服する為に、プラスチック等のリサイクル品、砂・砂を加工し、セメントとの接着面、摩擦力を高める、軽量化するものである。【０００７】上記の課題解決手段による作用は、高層ビル、高層マンション、高速道路、高架等の大型建設の耐震強度を高め、総重量を下げる事ができより長持ちさせる事が出来る。
又、天然骨材や人口骨材を使わずしても、再生骨材のみで加工する事が出来るので、無駄な自然破壊をせずエコロジーにもなり、錆・ひび割れ・劣化防止の効果にもなる。
【発明の効果】
【０００８】本発明の軽量骨材は耐震強度にも優れ、軽量化もでき、従来よりもコストの掛からない軽量骨材を提供できる。
【発明を実施するための最良の形態】
【０００９】別紙（図１−１・１−２）は凹凸が少なく表面積が限られているので、セメント等の接着面が少なく、摩擦抵抗が少ない。【００１０】別紙（図２−１・２−２）は砂・砂利よりも凹凸を作ることにより同じ大きさでも表面積を上げる事ができ、接着面・摩擦抵抗を高める事が出来る。また、隙間を増やす事により軽量化を図れる。
【図面の簡単な説明】
【００１１】
【図１−１】砂・砂利の表面図
【図１−２】砂・砂利の断面図
【図２−１】本発明の軽量骨材の表面図
【図２−２】本発明の軽量骨材の断面図
【図１−１】
2009280477.tif 000003
【図１−２】
2009280477.tif 000004
【図２−１】
2009280477.tif 000005
【図２−２】
2009280477.tif 000006
(57)【要約】【課題】ごみ袋は多数枚パックされて販売されているが、製造者名や製造日、パック総数等の情報は、外装にのみ記載され、中身の袋には表示がない。不良品が生じた場合等、責任の所在を追求し難い状況にあった。【解決手段】パックされた、ごみ袋の全てに１ロールの枚数、製造工場、製造機械、製造年月日をインクジェットプリントし消費者の安心を計ろうとするものである。【特許請求の範囲】
【請求項１】
ミシン目なしロール巻きポリエチレンごみ袋の巻始めの１枚目を印字番号１にして、次々と巻かれる袋に、ナンバリング印字する。
【請求項２】
ミシン目なしロール巻きポリエチレンごみ袋の全ての袋に、製造者等のロゴマークを印字する。
【請求項３】
ミシン目なしロール巻きポリエチレンごみ袋の全ての袋に、ロット番号（工場番号、生産機番号、製造日）を印字する。
【発明の詳細な説明】
【技術分野】
【０００１】ポリエチレン製ごみ袋は、多数枚を袋や箱に詰めて販売されている。この外袋や箱には、製造に係わる情報が表示されている。即ち、製造者名、製造番号等である。しかるに、規格の製品が多数枚包装されて、外装材と分離されて使用される場合等では、単品の出所を追及しにくい事情があった。
【背景技術】
【０００２】ごみ袋は、自治体が規格を指定する例が大半である。この場合、自治体が、ごみ袋の本来のコストに、ごみ処理にかかるコストを、大幅に上乗せする例が多い。この値差を狙っての不正が懸念され始めている。即ち、不良模造製品の発生が危惧される。
【発明の開示】
【発明が解決しようとする課題】
【０００３】ごみ袋は、通常１０枚を単位に外装袋にパックされるか、箱詰め等が為され、消費者に配布（販売）される。このパックされたごみ袋に不良品（溶着不良等）があった場合、問題の袋のみでは勿論、外装を併せ見ても、事故の原因や責任の所在を確認することが難しい。【０００４】ごみ袋の不良品が模造品であれば、製造責任を追及することは、さらに難しくなる。
【課題を解決するための手段】
【０００５】この課題を解決するための請求項１の発明は、ミシン目なし、ロール巻き、ごみ袋の夫々に、ナンバリングすることであり、さらに１ロールの巻いた総数を印字することである。消費者は、これによって包装枚数の正しいことを確認できる。【０００６】請求項２の発明は、ミシン目なしロール巻きごみ袋の全てに、製造者等のロゴマークを印字することである。これにより、他の請求項と併せることにより、責任の所在が明確になる。【０００７】課題を解決するための請求項３の発明は、ロール巻きごみ袋の全ての袋に、製造工場や生産機、製造日を示す、ロットを印字することである。
【発明の効果】
【０００８】本発明によれば、これまで実施困難とされてきた、ポリエチレン製ごみ袋の１枚、１枚に、製造業者名、１ロールの枚数、製造工場・機械名、製造年月日がプリントされることになり、消費者の安心を昂め、自治体の購入管理・品質管理に便利となる。
【発明を実施するための最良の状態】
【０００９】ミシン目なしロール巻きポリエチレンごみ袋の夫々に、インクジェットプリントする。
【産業上の利用可能性】
【００１０】本発明にかかる、ごみ袋は厖大に消費されており、夫々の出所等を証明する手だてがなされていない。従って本発明の適用には期待が大きい。
(57)【要約】【課題】エスカレータのステップとガードパネルの隙間に子供の靴などが挟み込まれて大怪我をするという人身事故が多発している問題を解決することを目的とする。【解決手段】下部乗場８ａと上部乗場８ｂとの間を概階段状に循環移動させるエスカレータのステップ１であって、乗客を乗せる踏み面である踏板２と当該踏板の後部から下方へ概弧面を有して垂下するライザ３を備え、当該踏板の踏み面の左右両端に当該踏み面より数センチメートル高いステップガード６ａ、６ｂを設けてなるエレベータのステップであって、ゴム製靴７などを履いたエスカレータの乗客が当該踏板の踏み面のどちらか端に乗った時に、当該ステップカードの踏板ガード部６ａａ、６ｂｂによって当該踏板２とステップガード６ａの隙間にゴム製靴などが挟み込まれることを防止することを特徴とするエスカレータのステップによって問題を解決する。【選択図】図１
2009280392.tif 000002
【特許請求の範囲】
【請求項１】
下部乗場と上部乗場との間を概階段状に循環移動させるエスカレータのステップであって、乗客を乗せる踏み面である踏板と当該踏板の後部から下方へ概弧面を有して垂下するライザを備え、当該踏板の踏み面の左右両端に当該踏み面より数センチメートル高いステップガードを設けてなるエスカレータのステップであって、ゴム製靴などを履いたエスカレータの乗客が当該踏板の踏み面の左右どちらか端に乗った時に、当該ステップガードによって当該踏板とステップガードの隙間にゴム製靴などが挟み込まれることを防止することを特徴とするエスカレータのステップ。
【発明の詳細な説明】
【技術分野】
【０００１】  本発明は、エスカレータのステップの安全性向上に関するものである。
【背景技術】
【０００２】  従来の技術によるエスカレータのステップは条突起からなるトレッドを形成した水平な踏板とその後部から下方へ弧面を有して垂下するライザ（ステップの蹴上げ部分）も条突起からなる櫛歯面を形成しているのが一般的である。【０００３】  しかし当該踏板はステップの左右に配置するガードパネルと概直角に接していて、ゴム製の靴などが当該ステップとガードパネルの隙間に挟み込まれて子供の足を骨折するなどの事故が多発している。
【発明の開示】
【発明が解決しようとする課題】
【０００４】  エスカレータのステップとガードパネルの隙間に子供の靴などが挟み込まれて大怪我をするという人身事故が多発している問題を解決することを目的とする。
【課題を解決するための手段】
【０００５】  下部乗場と上部乗場との間を概階段状に循環移動させるエスカレータのステップであって、乗客を乗せる踏み面である踏板と当該踏板の後部から下方へ概弧面を有して垂下するライザを備え、当該踏板の踏み面の左右両端に当該踏み面より数センチメートル高いステップガードを設けてなるエスカレータのステップであって、ゴム製靴などを履いたエスカレータの乗客が当該踏板の踏み面の左右どちらか端に乗った時に、当該ステップガードによって当該踏板とガードパネルの隙間にゴム製靴などが挟み込まれることを防止することを特徴とするエスカレータのステップを採用することで問題を解決する。
【発明の効果】
【０００６】  ステップの踏板の踏み面よりも数センチメートル高くなった本発明であるステップガードを設けることによって、子供の靴などが当該ステップガードによってガードパネルに接触することを防止するので、ステップガードとガードパネルの間に靴などが挟みこまれることはない。【０００７】  また、本発明であるステップガードの厚み幅を例えば５ミリメートル程度にすることによって、子供が自分の靴をステップガードの上端に載せようとしても厚み幅が小さいので乗せにくく、このことからもステップガードとガードパネルの間に靴などが挟みこまれることはない。
【発明を実施するための最良の形態】
【０００８】  下部乗場と上部乗場との間を概階段状に循環移動させるエスカレータのステップに本発明を採用することでエスカレータのステップとガードパネルの間に靴などが挟み込まれるという事故を防止できる。
【実施例１】
【０００９】  図１は、一般的なエスカレータの概下半分斜視図で、下部乗場８ａ、ステップ１、踏板２、ライザ３を図示し、ステップの左右両側にガードパネル４ａ、４ｂ、ガードパネルデッキ１０ａ、１０ｂ、ハンドレール５ａ、５ｂがある。【００１０】  図２は本発明を採用したエスカレータのステップ１の拡大斜視図で、踏板２の踏み面より数センチメートル高くなった部分を指す左右の踏板ガード部６ａａ、６ｂｂはステップガード６ａ、６ｂの上端の一部分で、ステップガード６ａ、６ｂはステップ１を左右両側から挟んでステップ１と一体を成し、左右のガードパネル４ａ、４ｂに相対する。【００１１】  エスカレータに靴７を履いた乗客がステップ１の踏板２の左端に寄り添った場合、エスカレータの乗客の靴７は左ステップガード６ａの左踏板ガード部６ａａで遮られて左ガードパネル４ａに接触しない。【００１２】  図３は、本発明を採用したステップ１の後方ライザ３方向から見た図で、靴７は踏板２の左端に乗っているが、左ステップガード６ａの左踏板ガード部６ａａに遮られて、左ガードパネル４ａに挟み込まれることはない。【００１３】  図４は、下部乗場８ａの位置におけるステップ１を中心に表現したライザ３側からの説明図で、下部乗場８ａの下にステップ１があり、ステップガード６ａ、６ｂの踏板ガード部６ａａ、６ｂｂと下部乗場８ａ底面との位置関係を図示した。
【図面の簡単な説明】
【００１４】
【図１】一般的なエスカレータの斜視図
【図２】本発明を採用したエスカレータのステップ拡大斜視図
【図３】本発明を採用したエスカレータのステップのライザ側からの説明図
【図４】本発明を採用したエスカレータのステップの下部乗場ライザ側からの説明図
【符号の説明】
【００１５】  １      ステップ
２      踏板
３      ライザ
４ａ    左ガードパネル
４ｂ    右ガードパネル
５ａ    左ハンドレール
５ｂ    右ハンドレール
６ａ    左ステップガード
６ａａ  （左ステップガードの）踏板ガード部
６ｂ    右ステップガード
６ｂｂ  （右ステップガードの）踏板ガード部
７      靴
８ａ    下部乗場
８ｂ    上部乗場
９ａ    左内側板
９ｂ    右内側板
１０ａ    左ガードパネルデッキ
１０ｂ    右ガードパネルデッキ
１１ａ    左トラス
１１ｂ    右トラス
１２ａ    左駆動ローラ
１２ｂ    右駆動ローラ
１３ａ    左駆動レール
１３ｂ    右駆動レール
１４ａ    左補助ローラ
１４ｂ    右補助ローラ
１５ａ    左補助レール
１５ｂ    右補助レール
１６ａ    左チェーン
１６ｂ    右チェーン
１７ａ    下部櫛歯
１７ｂ    上部櫛歯
【図１】
2009280392.tif 000003
【図２】
2009280392.tif 000004
【図３】
2009280392.tif 000005
【図４】
2009280392.tif 000006